(57)【要約】【課題】携帯電話機等の開閉式の携帯機器に用いられ、釦操作により筐体が自動オープンするヒンジ装置に関し、片手で筐体の開操作が簡単に行なえて操作性に優れるとともに、小型で十分広い開放角度が得られるヒンジ装置を提供することを課題とする。【解決手段】基部に形成された溝部及び軸孔を有するセンター軸８と、センター軸の両溝部に収納され揺動可能な一対の可変カム１０と、円筒状の基部に形成されたカム面に外カム面４２及び内カム面４４が形成されたカム部材６と、操作頭部が設けられた軸部に係合凸部が形成され、センター軸の軸孔に挿通された釦軸１４と、釦軸付勢バネ１２と、各部材を収納するハウジング２とを有し、釦軸の押下操作により可変カムを揺動させ、可変カムを外カム面との係合又は内カム面との係合に切り換え、筐体の開閉を手動によりオープンする動作から釦軸の押下による自動オープンの動作に切り換える構成である。【選択図】  図１
2010185530.tif 000002
【特許請求の範囲】
【請求項１】
携帯機器の本体筐体と開閉筐体とを回動可能に連結するヒンジ装置において、
軸状の基部、この基部の上部に形成された頭部、上記基部の両側に軸方向に形成された溝部、及び軸中心部に設けられた軸孔を有するセンター軸と、
上記センター軸の両溝部にそれぞれ一部が収納され、揺動可能に軸支された支持部の上部に鉤状の係合部が形成された一対の可変カムと、
円筒状の基部の上部に、上記可変カムの係合部と係合する一対の斜面状のカム面が形成され、これらカム面に、それぞれ筒の厚さ幅の外側部分に外カム面が、また内側部分には内カム面が形成され、上記センター軸に対して相対回動するカム部材と、
上部に操作頭部が設けられた軸部を有し、この軸部の中間位置に係合凸部が形成され、上記センター軸の軸孔に上記操作頭部を除いて挿通された釦軸と、
上記釦軸を上記センター軸から離れる方向に付勢する釦軸付勢バネと、
上記カム部材を付勢するカム付勢バネ、及び上記各部材を上記センター軸の頭部及び上記釦軸の操作頭部を残して収納する有底筒状のハウジングと、を有し、
上記釦軸の押下操作により、上記軸部の係合凸部とのカム係合により上記可変カムを揺動させ、上記可変カムの係合部のカム面を上記カム部材の外カム面との係合又は内カム面との係合に切り換え、これにより上記筐体の開閉を手動によりオープンする動作から釦軸の押下による自動オープンの動作に切り換えることを特徴とするヒンジ装置。
【請求項２】
上記外カム面に、端部から上り斜面の第一の外斜面部、頂部から下り斜面の第二の外斜面部、及びこれと連続してさらに急峻な勾配の第三の外斜面部を形成し、
上記内カム面に、端部から下る第一の内斜面部、及びこれと連続してさらに急峻な勾配で下る第二の内斜面部を形成したことを特徴とする請求項１記載のヒンジ装置。
【請求項３】
上記カム部材に、上記筒状の基部の中心対称な両側にそれぞれ壁面部を形成し、これら壁面部の上部を周方向に突出して延設部を形成し上記カム部材のカム面を延長したことを特徴とする請求項２に記載のヒンジ装置。
【請求項４】
上記センター軸の基部の中心対称な両側で且つ上記可変カムの鉤状の係合部の近傍に、上記基部の一部を外向きに突出形成して上記カム部材の内カム面と係合可能な固定カム部を設け、
上記カム部材の内カム面と係合する上記可変カムが、上記第一の内斜面部と上記第二の内斜面部との境界の変極点を通過した後、上記可変カムに換えて上記第二の内傾斜面に上記固定カム部を係合させ、上記可変カムと上記内カム面との間に隙間を形成し、上記可変カムの揺動を自由に行なわせることを特徴とする請求項２又は３記載のヒンジ装置。
【請求項５】
上記カム部材の内カム面を、内側に向けて斜め下方に傾斜するように形成したことを特徴とする請求項１乃至請求項４の何れかに記載のヒンジ装置。
【請求項６】
上記ハウジングの底部近傍の筒部に断面小判状の嵌合部を設ける一方、上記カム付勢バネとして大径部と小径部からなるコイルバネを用い、このコイルバネの小径部を上記ハウジングの底部側に配置したことを特徴とする請求項１乃至請求項５の何れかに記載のヒンジ装置。
【請求項７】
上記請求項１乃至請求項６の何れかに記載のヒンジ装置を用い、上記釦軸の操作頭部に押し釦を取り付け、送話部等を有する本体筐体又は受話部等を有する開閉筐体の一方側に上記ハウジングを固定し、他方側に上記センター軸の頭部を固定して上記本体筐体に対して上記開閉筐体を回動可能に連結し、上記押し釦の押下により上記本体筐体に対して上記開閉筐体を自動オープンさせることを特徴とする携帯機器。
【発明の詳細な説明】
【技術分野】
【０００１】
本発明は、携帯電話機等の開閉式の携帯機器に用いられ、釦操作により筐体が自動オープンするヒンジ装置に関する。
【背景技術】
【０００２】
折畳み式の携帯電話機等においては、本体筐体（送話部）に対して開閉筐体（受話部）を回動可能に連結するヒンジ装置として、開閉筐体が所定の開位置（フリップポイント）を基準に、開方向或いは閉方向に回動付勢力が作用して自動的に開放、閉塞するヒンジがある。また、プッシュ式で押釦を押すことで開閉筐体が固定筐体に対して自動的に所定角度まで開く自動オープン式のヒンジ装置が開示されている。
【０００３】
例えば、特許文献１に示す小型開閉装置は図１６に示すように、回転シャフト１５０に対して回転可能に取り付けられたインナーカム１５１と、インナーカムを内部に回転可能に収容させ、かつ、カム部をスライダーカム１５２のカム部に対向させて回転シャフトに取り付けられたアウターカム１５３と、アウターカムに対し非回転かつ軸方向へ摺動可能に取り付けられインナーカムを係止、解離するスライドキー１５４と、スライドキーの一端部に取り付けた押釦１５５と、押釦との間に弾設した第２コンプレッションスプリング１５６などで構成し、スライドカムの回転、即ち回転シャフトの回転を制御するインナーカムをアウターカムの内部に収容させたことにより軸方向の長さを短縮し、かつ押釦用のコイルスプリングを用いることにより、軽く押釦を押すことができるというものである。
【０００４】
また特許文献２には、携帯電話機の送話部と受話部との二つの部品を自動及び手動のいずれでも回動させることができ、手動で回動させる場合には受話部を中間位置で停止させることができるヒンジ装置が開示されている。
また、特許文献３に示される開閉装置は、解除カムが支持カムから外れることにより摺動体が軸線方向に摺動して、可動カムが固定カムから外れ弾接する反転体の反転カムによって反転手段を形成すると共に、同一軸線上にこれら各部材を配置したもので、片手で簡易に開閉ができるというものである。
特許文献４にも、押し釦により、自動的に使用或は操作可能な角度まで開くことができる電子機器用ヒンジが開示されている。
【先行技術文献】
【特許文献】
【０００５】
【特許文献１】特開２００１−２０７７２１号公報
【特許文献２】特開２００３−１３４２０３号公報
【特許文献３】特開２００３−２１４４２３号公報
【特許文献４】特開２００４−１５０４９８号公報
【発明の概要】
【発明が解決しようとする課題】
【０００６】
さて、携帯電話機の多様化に伴い、片手でも簡単に開操作が行え、かつ小型で、開放停止角度も出来るだけ広くしたいというニーズも高まっている。ここで、上記特許文献１から特許文献４には、それぞれ押し釦により自動オープンするヒンジ装置が開示されているが、これらのヒンジ装置については、手動オープンから自動オープンへの切り換えの容易化、開角度の拡大等に関して効果的な構成に関する開示に乏しく、このため操作性についての問題が懸念される。
【０００７】
本発明は、上記問題点に鑑みてなされたものであり、片手で筐体の開操作が簡単に行なえて操作性に優れるとともに、小型で十分広い開放角度が得られるヒンジ装置を提供することを目的とする。
【課題を解決するための手段】
【０００８】
以上の技術的課題を解決するため、本発明に係るヒンジ装置は、図１に示すように、携帯機器の本体筐体と開閉筐体とを回動可能に連結するヒンジ装置において、軸状の基部、この基部の上部に形成された頭部、上記基部の両側に軸方向に形成された溝部、及び軸中心部に設けられた軸孔７５，１３４を有するセンター軸８と、上記センター軸の両溝部にそれぞれ一部が収納され、揺動可能に軸支された支持部の上部に鉤状の係合部６９が形成された一対の可変カム１０，１０と、円筒状の基部の上部に、上記可変カムの係合部と係合する一対の斜面状のカム面が形成され、これらカム面に、それぞれ筒の厚さ幅の外側部分に外カム面４２，４２が、また内側部分には内カム面４４，４４が形成され、上記センター軸に対して相対回動するカム部材６と、上部に操作頭部が設けられた軸部を有し、この軸部の中間位置に係合凸部９８，１４０が形成され、上記センター軸の軸孔に上記操作頭部を除いて挿通された釦軸１４と、上記釦軸を上記センター軸から離れる方向に付勢する釦軸付勢バネ１２と、上記カム部材を付勢するカム付勢バネ４、及び上記各部材を上記センター軸の頭部及び上記釦軸の操作頭部を残して収納する有底筒状のハウジング２と、を有し、上記釦軸の押下操作により、上記軸部の係合凸部とのカム係合により上記可変カムを揺動させ、上記可変カムの係合部のカム面を上記カム部材の外カム面との係合又は内カム面との係合に切り換え、これにより上記筐体の開閉を手動によりオープンする動作から釦軸の押下による自動オープンの動作に切り換える構成である。
【０００９】
本発明に係るヒンジ装置は、上記外カム面４２，４２に、端部から上り斜面の第一の外斜面部５０、頂部から下り斜面の第二の外斜面部５１、及びこれと連続してさらに急峻な勾配の第三の外斜面部５２を形成し、上記内カム面４４，４４に、端部から下る第一の内斜面部６０、及びこれと連続してさらに急峻な勾配で下る第二の内斜面部６２を形成した構成である。
【００１０】
本発明に係るヒンジ装置は、上記カム部材６に、上記筒状の基部の中心対称な両側にそれぞれ壁面部を形成し、これら壁面部の上部を周方向に突出して延設部４６，４６を形成し上記カム部材のカム面を延長した構成である。
【００１１】
本発明に係るヒンジ装置は、上記センター軸８の基部の中心対称な両側で且つ上記可変カム１０，１０の鉤状の係合部６９の近傍に、上記基部の一部を外向きに突出形成して上記カム部材の内カム面と係合可能な固定カム部８２，８２を設け、上記カム部材の内カム面と係合する上記可変カムが、上記第一の内斜面部と上記第二の内斜面部との境界の変極点６１を通過した後、上記可変カムに換えて上記第二の内傾斜面に上記固定カム部８２，８２を係合させ、上記可変カムと上記内カム面との間に隙間を形成し、上記可変カム１０，１０の揺動を自由に行なわせる構成である。
【００１２】
本発明に係るヒンジ装置は、上記カム部材の内カム面４４，４４を、内側に向けて斜め下方に傾斜するように形成した構成である。
【００１３】
本発明に係るヒンジ装置は、上記ハウジング２の底部近傍の筒部に断面小判状の嵌合部を設ける一方、上記カム付勢バネ４として大径部と小径部からなるコイルバネを用い、このコイルバネの小径部を上記ハウジングの底部側に配置した構成である。
【００１４】
本発明に係る携帯機器は、上記何れかのヒンジ装置を用い、上記釦軸１４の操作頭部９２に押し釦２２を取り付け、送話部等を有する本体筐体１０２又は受話部等を有する開閉筐体１０１の一方側に上記ハウジング２を固定し、他方側に上記センター軸８の頭部７６を固定して上記本体筐体に対して上記開閉筐体を回動可能に連結し、上記押し釦２２の押下により上記本体筐体１０２に対して上記開閉筐体１０１を自動オープンさせる構成である。
【発明の効果】
【００１５】
本発明に係るヒンジ装置によれば、釦軸の押下操作により、軸部の係合凸部とのカム係合により可変カムを揺動させ、可変カムのカム面をカム部材の外カム面との係合又は内カム面との係合に切り換え、これにより筐体の開閉を手動によりオープンする動作から釦軸の押下による自動オープンの動作に切り換える構成を採用したから、片手で筐体の開操作が簡単に行なえるとともに、手動オープンから自動オープンへの切り換えもスムーズに行なえまた釦軸の押下操作も軽く行なえて操作性に優れるという効果を奏する。
【００１６】
本発明に係るヒンジ装置によれば、外カム面に、第一の外斜面部、第二の外斜面部、及び急峻な勾配の第三の外斜面部を形成し、内カム面に、第一の内斜面部、及び急峻な勾配で下る第二の内斜面部を形成した構成を採用したから、開閉筐体が軽快にオープンして使用感が良いという効果がある。
【００１７】
本発明に係るヒンジ装置によれば、カム部材に、壁面部の上部を周方向に突出して延設部を形成しカム部材のカム面を延長した構成を採用したから、開閉筐体の広い開放角度が得られ、広いニーズに適応できるという効果がある。
【００１８】
本発明に係るヒンジ装置によれば、センター軸に内カム面と係合可能な固定カム部を設け、可変カムに換えて第二の内傾斜面に固定カム部を係合させ、可変カムの揺動を自由に行なわせる構成を採用したから、カム部材のカム面に対する可変カムの切り換えがスムーズである為、手動オープンと自動オープンとの切り換えが良好に行なえて操作性に優れるという効果がある。
【００１９】
本発明に係るヒンジ装置によれば、カム部材の内カム面を、内側に向けて斜め下方に傾斜するように形成した構成を採用したから、カム部材に係合する可変カムの摺動移動が良好に行なえて、カム回動が軽快でありかつ耐久性が良いという効果がある。
【００２０】
本発明に係るヒンジ装置によれば、大径部と小径部からなるコイルバネを用い、このコイルバネの小径部をハウジングの底部側に配置した構成を採用したから、ハウジング他各部材がコンパクトに形成することができ、ヒンジ装置の小型化が図れるという効果がある。
【００２１】
本発明に係る携帯機器によれば、上記ヒンジ装置を用い押し釦の押下により本体筐体に対して開閉筐体を自動オープンさせる構成を採用したから、片手で筐体の開操作が簡単に行なえるとともに、手動オープンから自動オープンへの切り換えもスムーズに行なえまた釦軸の押下操作も軽く行なえて操作性に優れるという効果を奏する。
【図面の簡単な説明】
【００２２】
【図１】本発明の実施の形態に係るヒンジ装置の分解斜視図である。
【図２】実施の形態に係るヒンジ装置のカム部材の斜視図である。
【図３】同ヒンジ装置の可変カムの（ａ）は斜視図、（ｂ）は正面図、（ｃ）は左側面図、（ｄ）は底面図である。
【図４】同ヒンジ装置のセンター軸の（ａ）は正面図、（ｂ）は左側面図、（ｃ）は平面図、（ｄ）はＢ−Ｂ線断面図、（ｅ）はＡ−Ａ線断面図である。
【図５】同ヒンジ装置の釦軸の（ａ）は正面図、（ｂ）は左側面図、（ｃ）は平面図、（ｄ）はＣ−Ｃ線断面図である。
【図６】同ヒンジ装置の組立途中の状態を示す図である。
【図７】同ヒンジ装置の断面図である。
【図８】同ヒンジ装置を携帯電話機に装着する状態を示す説明図である。
【図９】同ヒンジ装置の釦軸と可変カムとの係合関係を示す図で（ａ）は押し釦が押下されてない（手動オープン）状態を、（ｂ）は押し釦が押下された状態を示す。
【図１０】同ヒンジ装置のヒンジ部材の内カム面と可変ヒンジとの係合状態を示す図である。
【図１１】同ヒンジ装置のカム部材の外カム面と内カム面のカム形状を示す展開図である。
【図１２】同ヒンジ装置に係り開閉筐体の手動オープン時のカム係合を示す図で、（ａ）は閉塞時を、（ｂ）はフリップポイントを、（ｃ）は開動作の途中を、（ｄ）は開放時をそれぞれ示す。
【図１３】同ヒンジ装置に係り開閉筐体の自動オープン時のカム係合を示す図で、（ａ）は閉塞時を、（ｂ）は開動作の途中を、（ｃ）は変極点を、（ｄ）は開放時を、（ｅ）は押し釦を戻した状態をそれぞれ示す。
【図１４】本発明の他の実施の形態に係るヒンジ装置の分解斜視図である。
【図１５】他の実施の形態に係るヒンジ部材の釦軸と可変ヒンジとの係合状態を示す図である。
【図１６】従来例に係り、押釦を押すと筐体が自動的に開く小型開閉装置を示す図である。
【発明を実施するための形態】
【００２３】
以下、本発明に係るヒンジ装置の実施の形態を図面に基づいて説明する。
図１は実施の形態に係り、折畳み式の携帯電話機に用いられるヒンジ装置１の分解斜視図を示したものである。このヒンジ装置１は、ハウジング２、カム付勢バネ４、カム部材６、センター軸８、一対の可変カム１０，１０、釦軸付勢バネ１２、釦軸１４、係止ワッシャー１６、固定ワッシャー１７、スライダー１８、一対のピン２０，２０、及び押し釦２２を有している。
【００２４】
上記ヒンジ装置１のカム機構は、カム部材６とセンター軸８に保持される可変カム１０，１０とによって構成される。また上記携帯電話機は、後述するように本体筐体１０２とヒンジ装置１により連結される開閉筐体１０１とを有している。なお、上記ヒンジ装置１は、携帯電話機の他に携帯ゲーム機、携帯パソコン等の折畳み式の携帯機器にも用いることができる。
【００２５】
上記カム部材６及び可変カム１０は金属のＭＩＭ成形加工、又はＳＵＳ（ステンレス鋼）などの鋼材からなる。ハウジング２は、ＳＵＳなどの鋼材からなる。スライダー１８は、ポリスライダー（登録商標）などの合成樹脂からなる。センター軸８は亜鉛ダイカスト又はＳＷＣＨなどの鋼材、カム付勢バネ４及び釦軸付勢バネ１２はＳＷＰなどの鋼材からなる。この釦軸付勢バネ１２は、カム付勢バネ４と比べてコイルは細く形成されまたバネ力は弱い。
【００２６】
上記ハウジング２は、断面円形状の筒部の一端側には中心に挿通孔２６が設けられた底部２８が形成され、他端側は開放口３０が形成された筒状の容器である。またハウジング２には、底部２８近傍の筒部の軸対称な部位にそれぞれ平坦な嵌合部３２，３２が内側に凹んだ形状に形成され、また開放口３０の中心対称な位置からそれぞれ軸方向にストレートに切り込まれた摺動凹部３４，３４が形成されている。
【００２７】
上記カム付勢バネ４は、コイルバネでありコイルの径の小さい小径部３６と、径が次第に大きくなる大径部３７とからなる。このカム付勢バネ４をハウジング２に内蔵されるが、ハウジング２は上記嵌合部３２，３２により内部空間の径が小さくなっているため、この部位にカム付勢バネ４の小径部３６を配置して収納する。
【００２８】
上記カム部材６は図２に示すように、一定の厚さ幅の円筒状の基部４０の上部を成形して円周方向に斜面状の一対のカム面４１，４１を形成したものである。上記カム面４１，４１には、筒の厚さ幅方向の中央部を境界にして外側部分に一対同一形状の外カム面４２，４２を形成し、内側部分に一対同一形状の内カム面４４，４４を両者一体に形成したものである。
【００２９】
また上記基部４０の中心対称な位置に、それぞれ円筒の周方向とは垂直な向きに壁面部４５，４５が形成され、これら壁面部４５，４５の上部には周方向に突出した延設部４６，４６が形成されている。上記カム面４１，４１の範囲は、それぞれ中心角度として１８０度からさらに１０度の上記延設部４６，４６を加えた角度範囲に形成されている。また上記外カム面４２，４２にはそれぞれ対称な形状の上り下りの係合斜面部が形成され、上記内カム面４４，４４にはそれぞれ対称な形状の下りの係合斜面部が形成されている。
【００３０】
上記外カム面４２，４２は、それぞれ上記延設部４６，４６の端部４７，４７からフリップポイントとしての頂部４８，４８に至る上り斜面の第一の外斜面部５０，５０、上記頂部４８から下り斜面の第二の外斜面部５１，５１、これと連続してさらに急峻な勾配で直線状の第三の外斜面部５２，５２が形成され、係合斜面部の終点としての底部５４，５４に至る形状である。
【００３１】
一方、上記内カム面４４，４４は、それぞれ上記延設部４６，４６の端部４７，４７から直線状に下る第一の内斜面部６０，６０、これと連続してさらに急峻な勾配（角度は上記第三の外斜面部５２と同様）で直線状の第二の内斜面部６２，６２が形成され、係合斜面部の終点としての底部５４，５４に至る形状である。
また、上記内カム面４４，４４は、基部４０の孔部４３側に向けて斜め下方に傾斜するように形成されている。
また、カム部材６の基部４０の外周部には、上記端部４７，４７の近傍にそれぞれ摺動凸部６６，６６が形成されている。
【００３２】
上記可変カム１０，１０は図３に示すように、支持部６８の上部に鉤状に屈曲した係合部６９が形成され、支持部６８の下端部近傍にはピン孔７０が形成されている。また、上記係合部６９の下部には凸状のカム面７２が形成されている。このカム面７２は、可変カム１０，１０の揺動位置により、上記カム部材６の外カム面４２と係合する状態、及び内カム面４４のみと係合する状態がある。
そして、可変カム１０の支持部６８には、係合部６９の背部側に係合凸部６５が形成され、またこの係合凸部６５の下部側には凹部６７が形成されている。
【００３３】
上記センター軸８は図４に示すように、円柱軸状の基部７４の上端部には頭部７６が形成され、また基部７４の軸中心には上記頭部７６を含めて軸方向に貫通する軸孔７５が形成されている。上記基部７４には、頭部７６側には大径の軸部７７が、また基部７４の下部側には、先に向うにつれて径が細くなりさらに径が一定の小径の軸部からなるバネ装着部７９が形成されている。さらにこのバネ装着部７９の先には、さらに縮径された嵌装軸部８４が、またこの先には縮径された固定軸部８５が形成されている。
【００３４】
また、上記基部７４の軸部７７の中央部には、軸対称な左右部にそれぞれ断面矩形状で軸方向に長い溝部７８，７８が形成されている。これら溝部７８，７８には、それぞれ上記可変カム１０，１０の支持部６８の収納が可能である。
また溝部７８，７８の下部近傍には、それぞれ溝幅方向にピン２０，２０を挿通可能な孔部８０，８０が設けられている。そして、上記溝部７８に収納した可変カム１０のピン孔７０を上記孔部８０に合わせてピン２０を挿通し、このピン２０を揺動軸として可変カム１０，１０をセンター軸８に対して所定角度の範囲で揺動（センター軸から遠ざかる方向及び近づく方向へ揺動）可能とする。
【００３５】
また、軸部７７の上部近傍の軸対称な左右部には、それぞれ径方向に突出しかつ軸方向に長い突条の固定カム部８２，８２が形成され、この固定カム部８２，８２の下部面には凸状のカム面８３が形成されている。上記固定カム部８２，８２は、径方向に突出しているが、この突出した幅寸法はカム部材６の内カム面４４，４４の幅と同程度に形成されている。これにより、上記固定カム部８２，８２は、カム部材６の内カム面４４，４４のみと係合可能である。
【００３６】
上記頭部７６は、軸と直交する向きの断面が略小判形状であり、側部の左右部位には平坦な係合面８６，８６が形成され、円弧状の部位には中間位置から上部にむけて係合溝部８８，８８が形成されている。また、頭部７６の上部には断面小判状の嵌合凹部９０が設けられており、この嵌合凹部９０は下記釦軸１４の操作頭部９２が嵌合した状態で軸方向に移動可能に形成されている。
【００３７】
上記釦軸１４は図５に示すように、軸部９３の上部に操作頭部９２が形成された形状である。上記操作頭部９２は、軸と直交する向きの断面は小判形状であり、またこの操作頭部９２の上部には断面円形の釦穴部９１が設けられている。上記軸部９３は、中間部から操作頭部９２にかけては径の太い大径軸部９４が、また中間部から下部にかけては径の細い小径軸部９５が形成されており、この小径軸部９５の先端部近傍に環状の係止溝部９７が設けられている。
【００３８】
また、釦軸１４の大径軸部９４の下部近傍の両側には、それぞれ台形状に切り欠いた凹部９６，９６が形成されている。また、上記大径軸部９４の凹部９６，９６の下部側には凹部９６，９６を脱出した位置に係合凸部９８（大径軸部９４の一部）が連続して形成されている。上記大径軸部９４は、上記凹部９６，９６の部位を除いて断面円形状である。
【００３９】
上記ヒンジ装置１の組み立てに際しては、図６，７に示すように、センター軸８の基部７４に設けられた溝部７８，７８にそれぞれ可変カム１０，１０を嵌め込み、基部７４からピン２０，２０を可変カム１０，１０のピン孔７０に挿通して可変カムを揺動可能に保持する。また、センター軸８の基部７４には下部側からカム部材６を嵌め入れ、上記可変カム１０，１０のカム面７２とこのカム部材６のカム面４１，４１とを係合可能に装着する。
【００４０】
次に、上記釦軸１４の大径軸部９４に釦軸付勢バネ１２を嵌め、この釦軸１４の軸部９３を上記センター軸８の軸孔７５に差し込む。そして、上記釦軸付勢バネ１２を圧縮しながら、釦軸１４の操作頭部９２をセンター軸８の頭部７６に設けた嵌合凹部９０に嵌め入れる。この状態では、釦軸１４の軸部９３の下端部に設けた係止溝部９７はセンター軸８の基部７４の下端部から突出しており、この係止溝部９７に係止ワッシャー１６を嵌めて釦軸１４がセンター軸８から抜けないように保持する。
【００４１】
そして、上記センター軸８の基部７４に嵌めたカム部材６の下部側から、カム付勢バネ４を基部７４のバネ装着部７９に嵌める。
また、上記部材を装着したセンター軸８の基部７４の下部からハウジング２を嵌めて各部材を内装させるとともに、カム部材６の摺動凸部６６，６６をそれぞれハウジング２の摺動凹部３４，３４に摺動可能に係合させる。
【００４２】
さらに、上記ハウジング２をセンター軸８の上部方向に押し付けてカム付勢バネ４を圧縮すると、ハウジング２の挿通孔２６から基部７４の嵌装軸部８４及び固定軸部８５が突出するので、この嵌装軸部８４にスライダー１８を嵌め、固定軸部８５には固定ワッシャー１７を嵌めこの固定軸部８５をかしめてセンター軸８の下端部をハウジング２の底部２８に固定する。他に、Ｅリングを用いた止着なども可能である。
この状態では、カム部材６がカム付勢バネ４に付勢され、このカム部材６のカム面４１，４１が可変カム１０，１０のカム面７２に弾性当接される。上記可変カム１０，１０はカム部材６とカム係合しつつセンター軸８を軸方向に移動するが、このときカム付勢バネ４は常にカム部材６を可変カム１０，１０と弾性係合するように付勢する。
【００４３】
そして、押し釦２２の突出部２３を釦軸１４の操作頭部９２に設けた釦穴部９１に強く嵌め込んで押し釦２２を取り付ける。この押し釦２２は、釦軸付勢バネ１２に抗して押し下げられさらに復帰するが、このとき釦軸１４の操作頭部９２はセンター軸８の嵌合凹部９０内を軸方向に往復移動する。また釦軸１４は、全体が軸状に形成されており、また釦軸付勢バネ１２も付勢力は僅かで足りるため、釦軸１４の押下操作が容易に行なえて操作性が良い。
【００４４】
さて、上記ヒンジ装置１は図８に示すように、折畳み式の携帯電話機１００に取り付けられる。この携帯電話機１００は、液晶表示画面等が設けられた受話部等からなる開閉筐体１０１と、操作キー等が設けられた送話部等からなる本体筐体１０２とを有している。
【００４５】
上記開閉筐体１０１には、本体筐体１０２と接合される筐体端部の中央部には筒状の中央接合筒部１０４が形成されている。この中央接合筒部１０４は、筒内部は断面円形状であるが中央部近傍は断面が小判状に括れた嵌合筒部が形成されている。一方、上記本体筐体１０２には、開閉筐体１０１と接合される筐体端部の両側にそれぞれ円筒状の第一接合筒部１０６及び第二接合筒部１０８が設けられている。
【００４６】
ヒンジ装置１の取り付けの際には、嵌合部材１１０が用いられ、この嵌合部材１１０は長方形状の板部１１２の一方の端部には両側から平行に一対の嵌合片１１４，１１４が立設形成され、また他方の端部近傍にも両側から平行に一対の係合片が立設されている。
【００４７】
また、携帯電話機１００の筐体同士の連結箇所には一個のヒンジ装置１とダミーヒンジ１１５が装着される。このダミーヒンジ１１５は、全体的に断面は円形状で、中央部に環状の溝部１１６が形成された第一の軸部１１７、及びこの第一の軸部１１７より径の小さい第二の軸部１１８を有している。
【００４８】
上記各ヒンジの装着に際しては、本体筐体１０２と開閉筐体１０１との接合部同士の筒孔が一致するように合せ、一方側から上記ヒンジ装置１をそのハウジング２側を先にして、上記第一接合筒部１０６を経由して中央接合筒部１０４の筒内に差し込む。このとき、ヒンジ装置１のハウジング２の嵌合部３２，３２は、中央接合筒部１０４の嵌合筒部と回動不能に嵌合される。また他方側から、上記ダミーヒンジ１１５をその第二の軸部１１８を先にして上記第二接合筒部１０８を経由して中央接合筒部１０４に挿入する。
【００４９】
そして、上記嵌合部材１１０を用い、この嵌合部材１１０の一対の嵌合片１１４，１１４により、上記ヒンジ装置１のセンター軸８の頭部７６の係合面８６，８６を両側から挟み、回動不能に固定する。一方、嵌合部材１１０の一対の係合片を、上記ダミーヒンジ１１５の環状の溝部１１６に挟んで係合させ、ダミーヒンジ１１５が抜けないように保持固定する。また、嵌合部材１１０は、ビス等を用いて板部１１２を本体筐体１０２に固定する。
【００５０】
上記ヒンジ装置１を取り付けた携帯電話機は、本体筐体１０２に対して開閉筐体１０１を開放（開角度１６５°）した開放状態では、開閉筐体１０１と本体筐体１０２との間に設けられたストッパー機構により、開閉筐体１０１はこれ以上の開放が阻止される。
【００５１】
また上記ヒンジ装置１を取り付けた携帯電話機は、開閉筐体１０１を手で開く手動オープン機能と、ヒンジ装置１の押し釦２２を押下することにより開閉筐体１０１が自動的に開く自動オープン機能とを有している。
【００５２】
図９（ａ）、（ｂ）は、押し釦２２の操作の有無による、釦軸１４の位置と可変カム１０，１０の揺動位置とをそれぞれ示したものである。
図９（ａ）は押し釦２２が押下操作されてない状態を示したものであり、この場合ヒンジ装置１は手動オープンの機能が発揮される。このときヒンジ装置１は、釦軸付勢バネ１２の付勢力により、釦軸１４はセンター軸８に対して上方（押し釦２２側）に押し上げられ、釦軸１４の係止ワッシャー１６がセンター軸８の基部７４の端部に当接し、釦軸１４を保持する。
【００５３】
また、釦軸１４の大径軸部９４に設けられた係合凸部９８が各可変カム１０，１０の係合凸部６５と係合し、両可変カム１０，１０はそれぞれピン２０，２０を軸にして外側方向に揺動移動する。この位置では、各可変カム１０，１０のカム面７２はそれぞれカム部材６の外カム面４２，４２と係合し、また外カム面４２，４２を摺動移動する。
【００５４】
一方図９（ｂ）は、押し釦２２が押下された状態を示したものであり、この場合ヒンジ装置１は自動オープンの機能が発揮される。このときヒンジ装置１は、釦軸１４が釦軸付勢バネ１２の付勢力に抗してセンター軸８に対して下方に押し下げられる。
【００５５】
このとき、可変カム１０に形成された係合凸部６５及び凹部６７は、それぞれ釦軸１４に形成された凹部９６，９６及び係合凸部９８に対向するように移動する。ここで、カム部材６がカム付勢バネ４によって押圧され、この力が可変カム１０の鉤状に屈曲した係合部６９に加わっているため、この力の一部が内側方向にベクトル分解され、可変カム１０の係合部６９が内側に揺動するよう付勢力が作用している。
このため、上記釦軸１４の押下により、可変カム１０の係合凸部６５及び凹部６７はそれぞれ釦軸１４の凹部９６，９６及び係合凸部９８と係合するよう移動し、これにより両可変カム１０，１０はピン２０，２０を軸にして内側方向に揺動移動する。そして、各可変カム１０，１０の係合凸部６５が釦軸１４の凹部９６，９６と、また各可変カム１０，１０の凹部６７が釦軸１４の係合凸部９８と係合する。
【００５６】
なお、ここでは釦軸１４の大径軸部９４に凹部９６，９６を設けて係合凸部９８を得る構成としたが、他に大径軸部９４の内で上記係合凸部９８以外の部位を細く形成することとしてもよく、要は、係合凸部９８が他と比べて相対的に軸を膨出した形状であれば良い。
【００５７】
上記可変カム１０，１０の位置では、各可変カム１０，１０のカム面７２はそれぞれカム部材６の内カム面４４，４４と係合しつつ摺動移動する。
また、図１０示すように、カム部材６の内カム面４４，４４は、内側に向けて斜め下方に傾斜するように形成されている。
これは、可変カム１０，１０が内側へ移動し内カム面４４，４４と係合するときは、可変カム１０，１０のカム面７２が少し傾く（内側に向けて下方に傾斜）ため、この傾きと同様な傾斜として両カムを均一に係合させるためである。また、上記傾斜した内カム面４４，４４を摺動移動する可変カム１０，１０は、この内カム面４４，４４と段差のある外カム面４２，４２の段差部４９には当たりにくくなり、可変カム１０，１０の摺動移動がスムーズに行なえる。
【００５８】
また、可変カム１０，１０が内カム面４４，４４の変極点６１，６１を通過すると可変カム１０，１０に換えて固定カム部８２，８２のカム面８３がそれぞれ内カム面４４，４４と係合し、可変カム１０，１０はピン２０に対して自由に揺動できる状態となる。
【００５９】
このヒンジ装置１は、ヒンジの相対回動に伴い、カム部材６の摺動凸部６６，６６がそれぞれハウジング２の摺動凹部３４，３４に係合しつつ摺動凹部に沿って（軸方向）往復移動し、またカム部材６はハウジング２と一体に回動する。一方、可変カム１０，１０は、センター軸８の溝部７８，７８に一部が収納されてセンター軸８と一体化し、センター軸８とともに回動する。
【００６０】
このため、ヒンジの稼動時には、可変カム１０，１０がカム部材６のカム面４１，４１をカム移動するにつれ、カム部材６と一体のハウジング２に対してセンター軸８が相対回動する。また、センター軸８と一体の可変カム１０，１０に対して、カム部材６は可変カム１０，１０がカム面４１，４１を移動するにつれ、カム付勢バネ４に抗し、またその付勢力に従ってセンター軸８に対して相対回動しながら軸方向に往復移動する。
そして、ヒンジ装置１のハウジング２を開閉筐体１０１で保持し、このハウジング２と相対回動するセンター軸８の頭部７６を本体筐体１０２で保持することで、両者を開閉可能に連結できる。
【００６１】
次に、上記ヒンジ装置１の回動特性について説明する。
図１１は、カム部材６の外カム面４２，４２及び内カム面４４，４４のカム形状を示す展開図である。このカム形状は、両カム面の境界位置における形状を平面に開いて表示したものである。
【００６２】
カム部材６の壁面部４５の上部から周方向に延設された延設部４６により、各カム面４１，４１の範囲を１８０°より広く確保し、ヒンジ装置１の開角度を大きくしている。この実施の形態では、本体筐体１０２に対して開閉筐体１０１を全開したときの開角度を１６５°としている。この開角度は、上記延設部４６をさらに多く突き出して延設することで１８０°に広げることが可能である。
【００６３】
図１１に示すカム部材６に対する可変カム１０，１０は、そのカム動作の始まりの始動部１２０に位置した状態を示しており、このとき開閉筐体１０１は閉じた状態である。また、可変カム１０に対して、カム部材６が押し下げられカム付勢バネ４を大きく圧縮した状態である。
【００６４】
上記可変カム１０，１０の位置では、外カム面４２の第一の外斜面部５０と、内カム面４４の第一の内斜面部６０とが交差（交差部１２１）した形態である。実際には、開閉筐体１０１が閉じた状態での押圧力の確保（ガタツキ防止）のため、可変カム１０が上記交差部１２１から第一の外斜面部５０を少し上った位置を上記始動部１２０としており、この位置で開閉筐体１０１が閉塞するようにしている。
【００６５】
ここで外カム面４２，４２は、上記始動部１２０から上り斜面の第一の外斜面部５０，５０、頂部４８，４８から下り斜面の第二の外斜面部５１，５１、これと連続してさらに急峻な勾配で下る直線状の第三の外斜面部５２，５２が形成され、斜面の終点としての底部５４，５４に至る形状である。また、可変カム１０，１０が第三の外斜面部５２，５２を下る途中の底部５４，５４の直前に可変カム１０のカム動作が終了する終動部１２２が設けられている。
【００６６】
一方、内カム面４４，４４は、上記始動部１２０から、直線状に下る第一の内斜面部６０，６０、これと連続してさらに急峻な勾配（角度は上記第三の外斜面部５２と同様）で下る直線状の第二の内斜面部６２，６２が形成され、斜面の終点としての底部５４，５４に至る形状である。上記第一の内斜面部６０，６０と第二の内斜面部６２，６２との境界は、勾配が変化する変極点６１，６１となる。また、可変カム１０，１０が第二の内斜面部６２，６２を下る途中に可変カム１０のカム動作が終了する上記終動部１２２が設けられている。
【００６７】
カム部材６の外カム面４２，４２は、始動部１２０から終動部１２２、さらに底部５４，５４にかけて、常に内カム面４４，４４より上部に位置するか、或いは内カム面４４，４４と同位置に形成されている。このため、可変カム１０，１０が外カム面４２，４２をカム動作する際には、内カム面４４，４４の上を通過するがこの内カム面４４，４４の影響は受けない。
【００６８】
またカム部材６は、外カム面４２，４２と内カム面４４，４４とが交差部１２１において谷形状に形成されており、外カム面４２，４２をカム移動する可変カム１０，１０はこの交差部１２１の位置がストッパーとして機能し、オーバランすることがない。
カム部材６の外カム面４２，４２は、始動部１２０から２０°の位置に頂部４８，４８が設けられており、また始動部１２０から１６５°の位置に終動部１２２が設けられている。外カム面４２，４２については、始動部１２０から１６５°の位置に終動部１２２が設けられている。
【００６９】
次に、上記ヒンジ装置１を装着した携帯電話機の手動オープン時と、自動オープン時におけるカム部材６と可変カム１０，１０との関係及び開閉筐体１０１の位置について説明する。
図１２は、手動オープン時の動作を示す。このときは、ヒンジ装置１の押し釦２２は押下操作されない。このため、可変カム１０のカム面７２はカム部材６の外カム面４２と係合しつつ摺動移動する。
【００７０】
同図（ａ）は、開閉筐体１０１を閉じた状態であり、可変カム１０は始動部１２０に位置する。この場合、可変カム１０は交差部１２１から第一の外斜面部５０を少し上った位置を上記始動部１２０としており、この位置で開閉筐体１０１が閉塞する。
同図（ｂ）は、操作者が開閉筐体１０１を少し開いた（開角度２０°）状態であり、可変カム１０，１０は外カム面４２，４２の第一の外斜面部５０，５０を上り頂部４８，４８（フリップポイント）に位置する。
【００７１】
さらに開閉筐体１０１を開くと、上記フリップポイントを通過した可変カム１０，１０は、カム部材６を付勢するカム付勢バネ４の付勢力により、同図（ｃ）に示すように、外カム面４２，４２の第二の外斜面部５１，５１を摺動降下し、さらに第三の外斜面部５２，５２を一気に摺動降下し、これに伴い開閉筐体１０１は自動的かつ軽快にオープンする。
【００７２】
開閉筐体１０１が開角度１６５°の全開位置に達すると、同図（ｄ）に示すように、可変カム１０，１０は終動部１２２に至り、この位置で開閉筐体１０１は本体筐体１０２との間に設けられたストッパー機構により停止され保持される。このとき、可変カム１０，１０は底部５４，５４の少し手前に位置した状態で付勢されており、開閉筐体１０１が開方向の付勢力を確保してガタツクことがないようにしている。
この開閉筐体１０１の全開位置で、操作者は通話などの操作を行なう。
【００７３】
また、開閉筐体１０１をクローズする場合には、手で開閉筐体を閉じる方向に移動させると、上記オープン時とは逆方向に可変カム１０，１０はカム部材６の外カム面４２，４２を移動し、上記始動部１２０に戻される。
【００７４】
図１３は、自動オープン時の動作を示す。このときは、操作者はヒンジ装置１の押し釦２２を押下操作する。すると、可変カム１０，１０はピン２０，２０を軸に内側に揺動し、同図（ａ）に示すように、可変カムのカム面７２，７２はそれぞれカム部材６の内カム面４４，４４と係合する。
そして同図（ｂ）に示すように、可変カム１０，１０は、カム部材６を付勢するカム付勢バネ４の付勢力により内カム面４４，４４の第一の内斜面部６０，６０を一気に摺動降下し、これに伴い開閉筐体１０１は自動的かつ軽快にオープンする。
【００７５】
開閉筐体１０１のオープン途中、同図（ｃ）に示すように、可変カム１０，１０が内カム面４４，４４の変極点に達すると、内カム面４４，４４には可変カム１０，１０に変えて固定カム部８２，８２のカム面８３が係合し、この固定カム部８２，８２が内カム面４４，４４の第一の内斜面部６０，６０から第二の内斜面部６２，６２へと係合し、この斜面部を摺動降下する。
【００７６】
このとき可変カム１０，１０が第一の内斜面部６０，６０を移動して変極点６１，６１に達するまでは、固定カム部８２，８２と内カム面４４，４４間には隙間が生じるように設定（第一の内斜面部６０の傾斜と、可変カム１０と固定カム部８２の各カム面の高さ位置関係により）されている。
【００７７】
また、可変カム１０，１０が変極点６１，６１を通過後、勾配が急な第二の内斜面部６２，６２に至ると、固定カム部８２，８２と第一の内斜面部６０，６０との間の隙間が次第になくなり、やがて固定カム部８２，８２が第二の内斜面部６２，６２に至ると、この固定カム部８２，８２が内カム面４４，４４に係合してセンター軸８を支持する状態となり、可変カム１０，１０と第二の内斜面部６２，６２との間には隙間１２４が生じる。
上記隙間１２４により、可変カム１０，１０はそれぞれピン２０，２０を軸とした揺動が自由な状態となる。
なお、可変カム１０，１０が変極点６１，６１に達するまで、可変カム１０，１０と固定カム部８２，８２との両者が内カム面４４，４４と係合するようにし、変極点６１，６１通過後は、可変カム１０，１０に変えて固定カム部８２，８２が内カム面４４，４４と係合するようにしても良い。
【００７８】
開閉筐体１０１が開角度１６５°の全開位置に達すると、同図（ｄ）に示すように、可変カム１０，１０は終動部１２２に至り、この位置で開閉筐体１０１は本体筐体１０２との間に設けられたストッパー機構により保持される。このとき、可変カム１０，１０は底部５４，５４の少し手前に位置する一方、固定カム部８２，８２は第二の内斜面部６２，６２と係合した状態で付勢されており、開閉筐体１０１が開方向の付勢力を確保してガタツクことがないようにしている。
【００７９】
そして、操作者が押し釦２２の押下操作を解除すると、釦軸付勢バネ１２により釦軸１４が押し釦２２方向に移動する。このとき、釦軸１４の係合凸部９８が各可変カム１０，１０の係合凸部６５と係合し、両可変カム１０，１０はそれぞれピン２０，２０を軸にして外側方向に移動し（上記隙間１２４により可変カム１０の移動はスムーズに行なわれる）、同図（ｅ）に示すように、可変カム１０，１０のカム面はカム部材６の外カム面４２，４２の方へ移動する。
上記開閉筐体１０１の全開位置で、操作者は通話などの操作を行なう。
【００８０】
また、開閉筐体１０１をクローズする場合、可変カム１０，１０はカム部材６の外カム面４２，４２と係合することから、動作は上記手動オープンにおける閉操作の場合と同様である。そして、操作者が手で開閉筐体を閉じる方向に移動させると、上記オープン時とは逆方向に可変カム１０，１０はカム部材６の外カム面４２，４２を移動し、上記始動部１２０に戻される。
【００８１】
上記ヒンジ装置１を装着した携帯電話機は、ヒンジ装置１の押し釦２２の操作をしない場合は、手動オープンの状態（可変カム１０，１０がカム部材６の外カム面４２，４２と係合）におかれており、操作者は自由に手で開閉筐体１０１を開閉操作できる。
【００８２】
このとき、操作者が開閉筐体１０１を僅かに開いた位置（可変カムがフリップポイント通過）において、カム付勢バネ４により開閉筐体１０１が開く方向に付勢され自動的に開閉筐体１０１が全開（１６５°）の操作位置まで開き、筐体同士のストッパー機構により開放状態が停止しこの位置で保持固定される。
開閉筐体１０１を閉じるときには、操作者は手で開閉筐体を閉じ可変カムがフリップポイントを通過後は、カム付勢バネ４の付勢力により開閉筐体１０１は自動的に閉移動し本体筐体１０２と重なり閉塞する。
【００８３】
一方、携帯電話機を自動オープンしたい場合には、操作者はヒンジ装置１の押し釦２２を押下する。この押し釦２２の押下により、カム付勢バネ４により開閉筐体１０１が開く方向に付勢され自動的に開閉筐体１０１が全開（１６５°）の操作位置まで開き、筐体同士のストッパー機構により開放状態が停止しこの位置で保持固定される。
そして、操作者が押し釦２２の操作を解除すると、可変カム１０，１０はカム部材６の外カム面４２，４２側へ移動して上記手動オープンの状態に復帰し、操作者は上記と同様に手動で開閉筐体１０１を閉塞することができる。
【００８４】
また、上記開閉筐体１０１の閉塞時或いは開放時における保持状態において、可変カム１０，１０はカム部材６の各係合斜面の途中位置において開閉筐体１０１が閉塞し、またストッパー機構で開放状態が停止するように構成されており、このためカム付勢バネ４の府勢力により閉方向或いは開方向に吸込み力が作用し保持されるため、開閉筐体１０１が閉塞位置或いは通話位置で確実に保持されガタツクことがない。
【００８５】
従って、上記実施の形態に係るヒンジ装置及びこのヒンジ装置を用いた携帯電話機によれば、操作者は片手で筐体の開操作が簡単に行なえ、釦軸の押下操作も軽く行なえて、手動オープンから自動オープンへの切り換えも簡単であり操作性に優れ、また開閉筐体は広い開放角度に拡げて通話及びキー操作などを行うことができて利便性にも優れる。
また、開閉筐体が軽快にオープンして使用感が良く、開閉筐体の広い開放角度が得られて広いニーズに適応でき、また手動オープンと自動オープンとの切り換えに伴う、カム部材に対する可変カムのカム面の切り換えがスムーズに行なえて操作性、耐久性にも優れる。
【００８６】
図１４は、本発明の他の実施の形態に係るヒンジ装置１３１の分解斜視図を示したものである。なお、このヒンジ装置１３１は、上記ヒンジ装置１の釦軸の抜け止め機構を内蔵させて、さらに装置の小型化を図ったものである。そして、このヒンジ装置１３１に用いられる部材の内、上記ヒンジ装置１と同一の部材又は同一形状の部分については同一の符号を付してここでの詳細な説明は省略する。
このヒンジ装置１３１は、ハウジング２、カム付勢バネ４、カム部材６、センター軸８、一対の可変カム１０，１０、釦軸付勢バネ１２、釦軸１４、固定ワッシャー１７、スライダー１８、一対のピン２０，２０、及び押し釦２２を有している。
【００８７】
このヒンジ装置１３１の上記ハウジング２は、斜め上方及び下方の二箇所にそれぞれ軸方向に嵌合凸条１３０，１３０が形成され、筒面の断面は多角形状として筐体との嵌合固定化を高めている。またカム付勢バネ４は、径が均一なコイルバネである。
【００８８】
また上記可変カム１０，１０は、支持部６８の上部に鉤状に屈曲した係合部６９が形成され、支持部６８には、係合部６９の背部側に係合凸部１３２が形成されている。上記係合凸部１３２は、厚さ幅方向に一部を切り欠いた形状であり、可変カム１０内の一方は表側が切り欠かれ、他方は裏側が切り欠かれている。
【００８９】
また上記センター軸８は、円柱軸状の基部７４の上端部には頭部７６が形成され、基部７４の軸対称な左右部にそれぞれ可変カム１０，１０の支持部６８の収納が可能な溝部７８，７８が形成されている。また、基部７４の軸中心には、頭部７６を含めて軸方向に基部７４の中間位置まで穿設された軸孔１３４が形成されている。上記頭部７６の形状は、上記ハウジングと同様であり筒面の断面は多角形状である。
【００９０】
また上記釦軸１４は、軸部１３６の上部に操作頭部９２が形成された形状である。上記軸部１３６の表側及び裏側にはそれぞれ、軸部１３６の中間部の両側を台形状に切り欠いた凹部１３８が形成され、この下部側には一段膨出した係合凸部１４０が形成され、またこの下部側にはさらに一段膨出した係止凸部１４２が形成されている。上記押し釦２２の裏面には一対の係止片１４４，１４４が突設されており、これらは釦軸１４の操作頭部９２に係止可能である。
【００９１】
上記ヒンジ装置１３１の組み立てに際しては、センター軸８の溝部７８，７８にそれぞれ可変カム１０，１０を嵌め込み揺動可能に保持する。一方、軸部１３６に釦軸付勢バネ１２を嵌めた釦軸１４をセンター軸８の軸孔１３４に差し込み、釦軸１４を押下して釦軸付勢バネ１２を圧縮した状態で、基部７４にカム部材６を嵌め入れ、可変カム１０，１０のカム面７２とこのカム部材６のカム面４１，４１とを係合可能に装着する。
【００９２】
このとき図１５に示すように、釦軸１４の押下を解除して可変カム１０，１０の係合凸部１３２が釦軸１４の係合凸部１４０と係合した状態では、可変カム１０，１０の支持部６８はカム部材６の内壁面に当接した状態となる。一方、この状態で釦軸付勢バネ１２の付勢力により釦軸１４は復帰しようとするが、この釦軸１４の係止凸部１４２が可変カム１０，１０の係合凸部１３２に係止され、釦軸１４がセンター軸８から抜けないように保持される。
【００９３】
そして、上記部材を取り付けたセンター軸８にカム付勢バネ４を嵌め、さらにハウジング２を嵌めてこれをセンター軸８の上部方向に押し付けてカム付勢バネ４を圧縮し、底部２８から突出した嵌装軸部８４にスライダー１８を嵌め、固定軸部８５には固定ワッシャー１７を嵌めこの固定軸部８５をかしめてセンター軸８の下端部をハウジング２の底部２８に固定する。
【００９４】
上記ヒンジ装置１３１は、押し釦２２が押下操作されてない手動オープン時には、釦軸１４の係合凸部１４０，１４０が各可変カム１０，１０の係合凸部１３２と係合し、両可変カム１０，１０は外側方向に揺動移動して、カム面７２はそれぞれカム部材６の外カム面４２，４２と係合し、外カム面４２，４２を摺動移動する。
一方、押し釦２２が押下された自動オープン時には、釦軸１４の凹部１３８，１３８は、可変カム１０，１０の係合凸部１３２に対向するように移動し、両可変カム１０，１０は内側方向に揺動し、カム面７２はそれぞれカム部材６の内カム面４４，４４と係合し、内カム面４４を摺動移動する。このヒンジ装置１３１の作用効果な上記ヒンジ装置１と同様である。
【符号の説明】
【００９５】
２  ハウジング
４  カム付勢バネ
６  カム部材
８  センター軸
１０  可変カム
１２  釦軸付勢バネ
１４  釦軸
２０  ピン
４２  外カム面
４４  内カム面
４６  延設部
５０  第一の外斜面部
５１  第二の外斜面部
５２  第三の外斜面部
６０  第一の内斜面部
６１  変極点
６２  第二の内斜面部
６９  係合部
７５，１３４  軸孔
８２  固定カム部
９８，１４０  係合凸部
【図１】
2010185530.tif 000003
【図２】
2010185530.tif 000004
【図３】
2010185530.tif 000005
【図４】
2010185530.tif 000006
【図５】
2010185530.tif 000007
【図６】
2010185530.tif 000008
【図７】
2010185530.tif 000009
【図８】
2010185530.tif 000010
【図９】
2010185530.tif 000011
【図１０】
2010185530.tif 000012
【図１１】
2010185530.tif 000013
【図１２】
2010185530.tif 000014
【図１３】
2010185530.tif 000015
【図１４】
2010185530.tif 000016
【図１５】
2010185530.tif 000017
【図１６】
2010185530.tif 000018